(57)【要約】【課題】軽量の調理容器を用いる場合でも、調理容器の傾きやひっくり返りを防止するとともに、鍋振り調理のおける鍋底温度センサの損傷を防止する。【解決手段】コンロバーナ１００の中心方向に向かって延出する複数の五徳爪１１と、五徳爪１１と一体に形成され、バーナヘッド３０の上方を覆う環状のキャップ９とを有する五徳１と、五徳１上に載置される調理容器４４の温度を検知する鍋底温度センサ２とを備えるコンロにおいて、鍋底温度センサ２の感熱ヘッド７に、天板４上に五徳１を載置させるときキャップ９に当接する被当接部５２を設け、上方に付勢された被当接部５２がキャップ９に当接することによって、挿通孔１０からの感熱ヘッド７の突出量を制限する。【選択図】図１
2020173034.tif 000002
【特許請求の範囲】
【請求項１】
天板に開設されたバーナ用開口から環状のバーナヘッドが天板の上方に露出するコンロバーナと、
天板上に載置され、コンロバーナの中心方向に向かって延出する複数の五徳爪、及び五徳爪と一体に形成され、バーナヘッドの上方を覆う環状のキャップを有する五徳と、
五徳上に載置される調理容器の温度を検知する鍋底温度センサと、を備えるコンロであって、
鍋底温度センサは、支持パイプの上端に、調理容器の底部に当接し、キャップの中央部の挿通孔を上下方向に移動可能に上方に付勢された感熱ヘッドを有し、
感熱ヘッドは、感熱部と、天板上の所定位置に五徳が載置されると、キャップが上方から当接する被当接部とを有しており、
五徳上に調理容器が載置されていない状態で、上方に付勢された被当接部がキャップに当接することによって、挿通孔からの感熱ヘッドの突出量が制限されるコンロ。
【請求項２】
請求項１に記載のコンロにおいて、
感熱ヘッドは、感熱部の周囲を覆うカバー部を有しており、
カバー部は、天板上の所定位置に五徳が載置されると、挿通孔の開口部よりも下方に位置し、キャップが上方から当接する被当接部を備えるコンロ。
【請求項３】
請求項２に記載のコンロにおいて、
カバー部は、略円錐台形状を有し、カバー部の下端周縁に挿通孔の孔径よりも大きな外径を有する被当接部を備えるコンロ。
【請求項４】
請求項１〜３のいずれか１項に記載のコンロにおいて、
キャップに設けられた係合部と、バーナヘッドに設けられた被係合部とを係合させることにより、五徳がバーナヘッドに対して回り止め状態で天板上に載置されるコンロ。
【発明の詳細な説明】
【技術分野】
【０００１】
本発明は、コンロに関する。特に、本発明は、五徳上に載置された調理容器の底部の温度を検知する鍋底温度センサを備えたコンロに関する。
【背景技術】
【０００２】
従来、コンロ本体の上面を覆う天板から露出して外周に多数の炎孔が設けられたコンロバーナと、コンロバーナの外方からコンロバーナの中心方向に向って延出させた複数の五徳爪を有する五徳と、コンロバーナの中央部の貫通孔から上端部が突出して五徳上に載置される調理容器の温度を検知する鍋底温度センサとを備えたガスコンロが知られている（例えば、特許文献１及び２）。
【０００３】
この種のガスコンロに設けられている鍋底温度センサは、コンロバーナのバーナボディ上に配置される環状のバーナヘッドの貫通孔内に立設された支持パイプと、支持パイプの上端に上下方向に移動可能に支持された感熱ヘッドとを備える。感熱ヘッドは、コイルばね等によって支持パイプに対して上方に付勢されており、内部に感熱素子を備える。従って、五徳上に調理容器が載置されると、鍋底温度センサの感熱ヘッドは、コイルばね等による付勢力に対抗して調理容器の重量により押し下げられ、調理容器の底部に感熱ヘッドが弾発的に当接し、調理容器の温度が検知される。
【先行技術文献】
【特許文献】
【０００４】
【特許文献１】特開２０１４−７７５９３号公報
【特許文献２】特開２０１２−１０２９３８号公報
【発明の概要】
【発明が解決しようとする課題】
【０００５】
ところで、上記のように感熱ヘッドを調理容器の底部に弾発的に当接させるためには、五徳上に調理容器が載置されていない状態で、感熱ヘッドの上端を調理容器が載置される五徳爪よりも上方に一定の付勢力で突出させる必要がある。その結果、軽量の調理容器が用いられると、感熱ヘッドが十分に押し下げられず、五徳上に載置させた調理容器の底部が感熱ヘッドに作用する付勢力によって持ち上げられ、調理容器が傾いたり、不用意にひっくり返ったりするという問題がある。また、感熱ヘッドが五徳爪よりも大きく上方に突出していると、鍋振り調理が行われるとき、感熱ヘッドに調理容器の底部が直接、衝突しやすく、鍋底温度センサを損傷させてしまうという問題もある。
【０００６】
本発明は、上記課題を鑑みてなされたものであり、本発明の目的は、軽量の調理容器を用いる場合でも、調理容器の傾きやひっくり返りを防止するとともに、鍋振り調理のおける鍋底温度センサの損傷を防止することにある。
【課題を解決するための手段】
【０００７】
本発明は、
天板に開設されたバーナ用開口から環状のバーナヘッドが天板の上方に露出するコンロバーナと、
天板上に載置され、コンロバーナの中心方向に向かって延出する複数の五徳爪、及び五徳爪と一体に形成され、バーナヘッドの上方を覆う環状のキャップを有する五徳と、
五徳上に載置される調理容器の温度を検知する鍋底温度センサと、を備えるコンロであって、
鍋底温度センサは、支持パイプの上端に、調理容器の底部に当接し、キャップの中央部の挿通孔を上下方向に移動可能に上方に付勢された感熱ヘッドを有し、
感熱ヘッドは、感熱部と、天板上の所定位置に五徳が載置されると、キャップが上方から当接する被当接部とを有しており、
五徳上に調理容器が載置されていない状態で、上方に付勢された被当接部がキャップに当接することによって、挿通孔からの感熱ヘッドの突出量が制限されるコンロである。
【０００８】
上記コンロによれば、五徳は、コンロバーナの中心方向に向かって延出する複数の五徳爪と、五徳爪と一体に形成され、バーナヘッドの上方を覆う環状のキャップとを有しており、鍋底温度センサは、支持パイプの上端に、調理容器の底部に当接し、キャップの中央部の挿通孔を上下方向に移動可能に上方に付勢された感熱ヘッドを有しているため、天板上に五徳を載置すると、五徳上に調理容器が載置されていない状態で、調理容器の底部に当接する鍋底温度センサの感熱ヘッドは、キャップの中央部の挿通孔から上方に突出する。そして、感熱ヘッドは、天板上の所定位置に五徳が載置されると、キャップが上方から当接する被当接部を有しているから、五徳上に調理容器が載置されていない状態では、上方に付勢された被当接部がキャップで押し下げられ、それに伴って挿通孔から上方に突出する感熱ヘッドが押し下げられて、挿通孔から突出する感熱ヘッドの突出量が制限される。従って、感熱ヘッドが五徳爪よりも大きく上方に突出するのを防止することができる。これにより、五徳爪よりも上方への感熱ヘッドの飛び出し量を小さくできるから、軽量の調理容器が用いられる場合でも五徳上での調理容器の姿勢が崩れ難く、調理容器の傾きやひっくり返りを防止することができる。
【０００９】
また、上記コンロによれば、挿通孔から上方に突出する感熱ヘッドの突出量が制限されているから、鍋振り調理が行われて調理容器が衝突するときの感熱ヘッドへの衝撃を低減することができる。さらに、感熱ヘッドは、挿通孔から上方に突出させているから、鍋振り調理が行われて感熱ヘッドが上下動するとき、挿通孔によって感熱ヘッドがガイドされる。これにより、鍋底温度センサの損傷を防止することができる。
【００１０】
好ましくは、上記コンロにおいて、
感熱ヘッドは、感熱部の周囲を覆うカバー部を有しており、
カバー部は、天板上の所定位置に五徳が載置されると、挿通孔の開口部よりも下方に位置し、キャップが上方から当接する被当接部を備える。
【００１１】
上記コンロによれば、カバー部は、天板上の所定位置に五徳が載置されたとき、挿通孔の開口部よりも下方に位置し、キャップが上方から当接する被当接部を有しているから、五徳上に調理容器が載置されていない状態で、キャップがカバー部の被当接部に当接する。従って、感熱ヘッドを挿通孔に挿通させると、カバー部がキャップによって下方に押し下げられ、それに伴って挿通孔から上方に突出する感熱ヘッドが押し下げられる。これにより、挿通孔から突出する感熱ヘッドの突出量を制限することができる。
【００１２】
好ましくは、上記コンロにおいて、
カバー部は、略円錐台形状を有し、カバー部の下端周縁に挿通孔の孔径よりも大きな外径を有する被当接部を備える。
【００１３】
上記コンロによれば、カバー部は略円錐台形状を有し、カバー部の下端周縁に挿通孔の孔径よりも大きな外径を有する被当接部が設けられているから、天板上に五徳を載置して挿通孔に感熱ヘッドを挿通させると、カバー部の下端周縁の被当接部がキャップによって下方に押し下げられる。これにより、挿通孔から突出する感熱ヘッドの突出量を制限することができる。また、カバー部の下端周縁に設けられた被当接部がキャップに当接すると、カバー部によって挿通孔が閉塞される。これにより、五徳上に調理容器が載置されていない状態で、挿通孔からコンロ本体内への異物の侵入を防止することができる。また、上記コンロによれば、五徳上に調理容器が載置されると、カバー部と挿通孔との間に隙間が形成される。これにより、空気の通気路を確保することができ、加熱調理中のバーナヘッドの過熱を防止することができる。
【００１４】
好ましくは、上記コンロにおいて、
キャップの下面に設けられた係合部と、バーナヘッドに設けられた被係合部とを係合させることにより、五徳がバーナヘッドに対して回り止め状態で天板上に載置される。
【００１５】
上記コンロによれば、天板上に五徳が載置されると、係合部と被係合部とが係合することにより、五徳がバーナヘッドに対して回り止め状態で位置決めされる。これにより、天板やバーナリングに五徳爪を所定位置に配置させるための位置決め部を設けることなく、バーナヘッドに形成される炎孔と五徳爪の配置の相関を直接とることができる。
【発明の効果】
【００１６】
以上のように、本発明によれば、感熱ヘッドのキャップの挿通孔からの突出量が制限されるから、軽量の調理容器が用いられる場合でも、調理容器が傾いたり、調理容器が不用意にひっくり返ったりすることを防止することができる。また、本発明によれば、鍋振り調理が行われるときの鍋底温度センサの損傷を抑えることができる。
【図面の簡単な説明】
【００１７】
【図１】本発明の実施の形態１に係るコンロにおける五徳上に調理容器が載置されていない状態を示す要部拡大断面図である。
【図２】本発明の実施の形態１に係るコンロにおける五徳上に調理容器が載置された状態を示す要部拡大断面図である。
【図３】本発明の実施の形態１に係るコンロにおける五徳上に調理容器が載置された状態を示す要部斜視図である。
【図４】本発明の実施の形態１に係るコンロの要部分解斜視図である。
【図５】本発明の実施の形態１に係るコンロの五徳の裏側を示す斜視図である。
【図６】本発明の実施の形態２に係るコンロにおける五徳上に調理容器が載置されていない状態を示す要部拡大断面図である。
【図７】本発明の実施の形態３に係るコンロにおける五徳上に調理容器が載置された状態を示す要部拡大断面図である。
【図８】本発明の実施の形態３に係るコンロの要部拡大断面図である。
【発明を実施するための形態】
【００１８】
（実施の形態１）
以下、本発明の実施の形態を図面に基づいて説明する。図１及び図２は、本実施の形態に係るコンロの要部拡大断面図であり、図１は、五徳上に調理容器が載置されていない状態を、図２は、五徳上に調理容器が載置された状態を示す。
【００１９】
コンロバーナ１００は、天板４で覆われるコンロ本体内に配置され、燃料ガスと空気とが混合される混合管３１と、混合管３１の下流端部から上方に延びバーナ用開口４０を通して天板４の上方に突出する内外二重構造のバーナボディ３と、バーナボディ３上に載置される環状のバーナヘッド３０を備える。
【００２０】
バーナヘッド３０の中央部には、貫通孔３０ａが形成されており、貫通孔３０ａ内には、後述する鍋底温度センサ２が設置されている。また、バーナヘッド３０の上面には、後述する五徳１のキャップ９の下面に設けられた係合突起１２が嵌め込まれて、五徳１をバーナヘッド３０に対して回り止め状態で位置決めするための切欠３２（被係合部）が形成されている（図４参照）。
【００２１】
環状のバーナヘッド３０の外周壁の下面（バーナボディ３に載置される面）には、複数の溝（炎孔溝）がバーナヘッド３０の中央部に対して放射状に形成されており、バーナヘッド３０をバーナボディ３に載置すると、複数の炎孔溝とバーナボディ３の上面とによって、複数の炎孔３３が形成される。また、燃焼炎が五徳爪１１に接触することによる燃焼不良を防止するため、切欠３２の下方の炎孔３３は、他の部分の炎孔３３よりも小さな開口面積に形成されている。
【００２２】
天板４のバーナ用開口４０の周縁には、バーナボディ３とバーナ用開口４０との隙間を閉塞するように、バーナリング４３が配設されている。また、バーナリング４３に設けられた透孔から、点火プラグ４１と炎検知器４２とがそれぞれ上方へ突出している。
【００２３】
天板４上には、バーナ用開口４０を囲うようにして、五徳１が載置される。五徳１は、バーナヘッド３０の上面から所定の高さの隙間を存して、バーナヘッド３０の上方を覆うように設けられ、中央部に鍋底温度センサ２の感熱ヘッド７が上下動可能な状態で挿通される挿通孔１０が形成された環状のキャップ９と、コンロバーナ１００の外方の天板４上からバーナヘッド３０の中心部の上方に向かって延出する略Ｌ字状の複数（ここでは、６本）の五徳爪１１（１１ａ〜１１ｆ）とを有する。これらの五徳爪１１の内方端部は、キャップ９の外周縁部に結合されており、キャップ９と五徳爪１１とは一体に形成されている。
【００２４】
挿通孔１０の上開口部の周縁部には、上開口部の孔径が下開口部のそれよりも小さくなるように、内方に突出する突出部１５が形成されている。このため、挿通孔１０は、上開口部より下方で外方に拡径されている。
【００２５】
図３〜図５に示すように、複数の五徳爪１１のうち、相互に対向する位置にある五徳爪１１ａ,１１ｄ及び五徳爪１１ｃ,１１ｆの内方端部が結合しているキャップ９の外周縁部の下面には、下方に突出する係合突起１２（係合部）が設けられている。これらの係合突起１２は、天板４上に五徳１が載置されるとき、バーナヘッド３０の上面に設けられた切欠３２に嵌め込まれる。
【００２６】
鍋底温度センサ２は、上下方向に長手の支持パイプ２１と、支持パイプ２１の上端に支持された感熱ヘッド７とを有する。図示しないが、支持パイプ２１は、コンロ本体内に設けられたブラケットに固定されている。感熱ヘッド７は、サーミスタ等の感熱素子６０が配設され、上端が円盤状の集熱部材６１によって閉塞された筒状の感熱部６と、感熱部６の周囲を上方及び側方から覆うカバー部５とを有する。支持パイプ２１の上端には、小径の円環形状のばね受け部２３が接合されており、感熱部６の上端の集熱部材６１とばね受け部２３との間にはコイルばね２４が収容され、コイルばね２４によって感熱ヘッド７が上下方向に移動可能なように上方に付勢されている。
【００２７】
カバー部５は、ステンレス等の高熱伝導性の金属からなり、下方に開放する略円錐台形状を有する。カバー部５は、集熱部材６１の上面に接触し、キャップ９の挿通孔１０の上開口部の孔径よりも小径の上面５０と、上面５０の周縁から下方に向かって拡径するテーパ面５１と、テーパ面５１の下端周縁に、全周にわたって外方に向かって拡径する所定高さの段部５２（被当接部）とを有する。従って、カバー部５の上面５０が調理容器４４の底部４５に当接すると、調理容器４４の底部４５の温度が上面５０及び集熱部材６１を介して感熱素子６０により検知される。なお、カバー部５の上面５０を設けることなく、集熱部材６１をカバー部５から露出させ、調理容器４４の底部４５に直接、集熱部材６１を当接させてもよい。
【００２８】
段部５２は、挿通孔１０の上開口部の孔径よりも大きな外径を有する。図１に示すように、キャップ９の挿通孔１０の高さ、並びにカバー部５の全体の高さ及び段部５２の上端の形成位置は、五徳１上に調理容器４４が載置されていない状態で、段部５２の上端が挿通孔１０の上開口部の周縁部に形成された突出部１５に当接して、感熱ヘッド７の上方への移動が規制されたときに、カバー部５の上面５０が挿通孔１０の上開口部から突出し、五徳爪１１の上方の所定高さに位置するように設定されている。また、図２に示すように、カバー部５は、五徳１上に調理容器４４が載置された状態では、カバー部５の下端、すなわち段部５２の下端とバーナヘッド３０の上面との間に所定高さの隙間が形成されるように設定されている。
【００２９】
本実施の形態において、天板４上に五徳１を載置させるには、バーナヘッド３０の中央部の貫通孔３０ａから上方に突出する鍋底温度センサ２の感熱ヘッド７に、上方からキャップ９の挿通孔１０を挿通させていく。このとき、カバー部５の下端周縁に設けられた段部５２は挿通孔１０の上開口部の孔径よりも大きな外径を有するため、段部５２は挿通孔１０の上開口部の周縁部に形成された突出部１５に当接する。そして、五徳１を降下させていくと、突出部１５に段部５２が当接した状態で、カバー部５が五徳１の自重によってコイルばね２４の付勢力に対抗して下方に押し下げられる。次いで、五徳１を周方向に回動させ、キャップ９の外周縁部の下面に設けられた係合突起１２をバーナヘッド３０の上面に設けられた切欠３２に嵌め込むことにより、五徳１がバーナヘッド３０に対して回り止め状態で天板４上に載置される。
【００３０】
上記のようにして天板４上に五徳１が載置されたとき、五徳１上に調理容器４４が載置されていない状態で、カバー部５の下端周縁に設けられた段部５２は挿通孔１０の上開口部の周縁部に形成された突出部１５に当接している。そのため、感熱ヘッド７はコイルばね２４の付勢力に対抗して下方に押し下げられた状態で上方への移動が規制されており、感熱ヘッド７は挿通孔１０の上開口部から所定の高さ上方に突出し、カバー部５の上面５０が五徳爪１１の上面よりも上方に位置する。
【００３１】
すなわち、五徳１上に調理容器４４が載置されていない状態では、カバー部５の段部５２とキャップ９とによって挿通孔１０から突出する感熱ヘッド７の突出量が所定の高さに制限される。従って、コイルばね２４の付勢力によって感熱ヘッド７が五徳爪１１よりも大きく上方に突出するのを防止することができる。これにより、五徳爪１１よりも上方への感熱ヘッド７の飛び出し量を小さくできるから、軽量の調理容器４４が用いられる場合でも、感熱ヘッド７の押し込み量を小さくできる。従って、五徳１上での調理容器４４の姿勢が崩れ難く、調理容器４４の傾きやひっくり返りを防止することができる。また、挿通孔１０の上開口部からの感熱ヘッド７の突出量は、コイルばね２４の付勢力によらず、五徳１のキャップ９と感熱ヘッド７のカバー部５とによって調整できるから、製品ごとの感熱ヘッド７の突出量のばらつきも低減することができる。
【００３２】
また、挿通孔１０の上開口部から上方に突出する感熱ヘッド７の突出量が制限されているから、鍋振り調理が行われて調理容器４４が衝突するときの感熱ヘッド７への衝撃を低減することができる。また、カバー部５はテーパ面５１を有する略円錐台形状に形成されているから、調理容器４４がカバー部５に衝突するときにテーパ面５１に沿って調理容器４４を滑らせることができる。さらに、鍋振り調理が行われて、調理容器４４が感熱ヘッド７に衝突するとき、感熱ヘッド７の上下動を挿通孔１０によってガイドすることができる。特に、鍋底温度センサ２は支持パイプ２１の下端がコンロ本体内に固定された状態で立設されているため、側方から調理容器４４が支持パイプ２１の上端に保持された感熱ヘッド７に衝突すると、支持パイプ２１に変形が生じやすい。しかしながら、挿通孔１０からの感熱ヘッド７の突出量を制限することにより、鍋底温度センサ２に変形を生じさせやすい側方からの調理容器４４の衝撃を低減することができる。これにより、鍋底温度センサ２の損傷を防止することができる。
【００３３】
また、カバー部５の下端周縁に設けられた段部５２は挿通孔１０の上開口部の孔径よりも大きな外径を有しているから、図１及び図３に示すように、五徳１上に調理容器４４が載置されていない状態では、挿通孔１０がカバー部５によって閉塞される。従って、五徳１上に調理容器４４が載置されていない状態で、挿通孔１０からコンロ本体内への異物の侵入を防止することができる。
【００３４】
また、天板４上に五徳１を載置させたとき、キャップ９の下面に設けられた係合突起１２がバーナヘッド３０の上面に設けられた切欠３２に嵌り込むことによって五徳１がバーナヘッド３０に対して回り止め状態で位置決めされる。従って、従来のコンロのようにバーナヘッド３０と直接の相関のない天板４やバーナリング４３に五徳爪１１を所定位置に配置させるための位置決め部を設ける場合と異なり、バーナヘッド３０の外周に形成される炎孔３３と五徳爪１１の配置の相関を直接とることができる。これにより、燃焼炎と五徳爪１１との接触による燃焼不良を確実に防止することができる。また、天板４やバーナリング４３に位置決め部が設けられないから、お手入れ性を向上させることができる。
【００３５】
また、カバー部５は下方に拡径する略円錐台形状を有しており、図２に示すように、五徳１上に調理容器４４が載置された状態では、カバー部５と挿通孔１０との間には所定幅の隙間が形成されるから、空気の通気路を確保することができる。これにより、加熱調理中のバーナヘッド３０の過熱を防止することができる。
【００３６】
また、カバー部５のテーパ面５１は下方に向かって拡径され、カバー部５の下端周縁の段部５２はテーパ面５１よりも外方に向かって拡径されているため、加熱調理中、煮こぼれが挿通孔１０に侵入して下方に流下してきても、煮こぼれが外方に流れやすくなる。これにより、貫通孔３０ａへの煮こぼれの侵入を低減することができる。
【００３７】
（実施の形態２）
図６及び図７は、本実施の形態のコンロを示す要部拡大断面図であり、図６は、五徳１上に調理容器４４（図示せず）が載置されていない状態を、図７は、五徳１上に調理容器４４が載置された状態を示す。なお、実施の形態１と同一の構成については、同一の引用番号を付して、説明を省略する。
【００３８】
本実施の形態において、キャップ９ａの挿通孔１０ａは、上開口部と下開口部とが略同一の孔径を有するように形成されている。また、カバー部５ａは、集熱部材６１の上面に接触する上面５０ａと、上面５０ａの周縁から下方に向かって拡径するテーパ面５１ａと、テーパ面５１ａの下端から下方に垂直に延在する円筒面部５３と、カバー部５の下端周縁の全周にわたって下方に向かって拡径する庇部５２ａ（被当接部）とを有し、下方に開放している。円筒面部５３は、挿通孔１０ａの高さよりも大きな高さを有するとともに、挿通孔１０ａの上下開口部の孔径よりも若干小さな外径を有する。また、庇部５２ａは、挿通孔１０ａの下開口部の孔径及びバーナヘッド３０の貫通孔３０ａの上開口部の孔径よりも大きな外径を有する。
【００３９】
また、キャップ９ａの挿通孔１０ａの高さ、並びにカバー部５ａの全体の高さ及び庇部５２ａの上端の形成位置は、五徳１上に調理容器４４が載置されていない状態で、庇部５２ａの上端が挿通孔１０ａの下開口部の周縁部に当接して、感熱ヘッド７ａの上方への移動が規制されたときに、カバー部５ａの上面５０ａが挿通孔１０ａの上開口部から突出し、五徳爪１１の上方の所定高さに位置するように設定されている。また、カバー部５ａは、五徳１上に調理容器４４が載置された状態では、カバー部５ａの下端、すなわち庇部５２ａの下端とバーナヘッド３０の上面との間に所定高さの隙間が形成されるように設定されている。
【００４０】
本実施の形態において、五徳１上に調理容器４４が載置されていない状態で、カバー部５ａの下端周縁に設けられた庇部５２ａは挿通孔１０ａの下開口部の周縁部に当接している。そのため、感熱ヘッド７ａはコイルばね２４の付勢力に対抗して下方に押し下げられた状態で上方への移動が規制されており、感熱ヘッド７ａは挿通孔１０ａの上開口部から所定の高さ上方に突出し、カバー部５ａの上面５０ａが五徳爪１１の上面よりも上方に位置する。
【００４１】
従って、本実施の形態では、実施の形態１と同様に、五徳１上に調理容器４４が載置されていない状態では、庇部５２ａとキャップ９ａとによって挿通孔１０ａから突出する感熱ヘッド７ａの突出量が所定の高さに制限される。これにより、五徳爪１１よりも上方への感熱ヘッド７ａの飛び出し量を小さくできるから、軽量の調理容器４４が用いられる場合でも、感熱ヘッド７ａの押し込み量を小さくできる。従って、五徳１上での調理容器４４の姿勢が崩れ難く、調理容器４４の傾きやひっくり返りを防止することができる。また、鍋振り調理における鍋底温度センサ２の損傷を防止することができる。
【００４２】
また、五徳１上に調理容器４４が載置されていない状態では、挿通孔１０ａの上下開口部の孔径より若干小さな外径を有するカバー部５ａの円筒面部５３の一部が挿通孔１０ａの上開口部から上方に突出しているから、挿通孔１０ａがカバー部５ａによって閉塞される。従って、五徳１上に調理容器４４が載置されていない状態で、挿通孔１０ａからコンロ本体内への異物の侵入を確実に防止することができる。
【００４３】
また、五徳１上に調理容器４４が載置された状態では、挿通孔１０ａはカバー部５ａによって閉塞されているから、煮こぼれがカバー部５ａ上に落下した場合でも、挿通孔１０ａとカバー部５ａとの隙間から下方に侵入し難い。さらに、カバー部５ａの下端周縁に設けられている庇部５２ａは、バーナヘッド３０の中央部に設けられた貫通孔３０ａの上開口部の孔径よりも大きな外径を有するから、挿通孔１０ａとカバー部５ａとの間の隙間に煮こぼれが侵入した場合でも、円筒面部５３の周面を伝って流れてきた煮こぼれをバーナヘッド３０の上面に流下させることができる。これにより、コンロ本体内への異物の侵入を確実に防止することができる。
【００４４】
（実施の形態３）
図８は、本実施の形態のコンロを示す要部拡大断面図である。なお、実施の形態１と同一の構成については、同一の引用番号を付して、説明を省略する。
【００４５】
本実施の形態において、カバー部５ｂは、実施の形態１と同様に、略円錐台形状を有するが、カバー部５ｂのテーパ面５１ｂの中間部より下方は、挿通孔１０の上開口部の孔径よりも大きな外径を有する。
【００４６】
また、キャップ９の挿通孔１０の高さ、並びにカバー部５ｂの全体の高さ及び挿通孔１０の上開口部の孔径より大きな外径となるテーパ面５１ｂの中間部の形成位置は、五徳１上に調理容器４４が載置されていない状態で、カバー部５ｂのテーパ面５１ｂの中間部が挿通孔１０の上開口部の周縁部に形成された突出部１５に当接して、感熱ヘッド７ｂの上方への移動が規制されたときに、カバー部５ｂの上面５０ｂが挿通孔１０の上開口部から突出し、五徳爪１１の上方の所定高さに位置するように設定されている。また、カバー部５ｂは、五徳１上に調理容器４４が載置された状態では、カバー部５ｂの下端とバーナヘッド３０の上面との間に所定高さの隙間が形成されるように設定されている。
【００４７】
本実施の形態において、五徳１上に調理容器４４が載置されていない状態では、カバー部５ｂのテーパ面５１ｂの中間部が挿通孔１０の上開口部の周縁部に形成された突出部１５に当接している。そのため、感熱ヘッド７ｂはコイルばね２４の付勢力に対抗して下方に押し下げられた状態で上方への移動が規制されており、感熱ヘッド７ｂは挿通孔１０の上開口部から所定の高さ上方に突出し、カバー部５ｂの上面５０ｂが五徳爪１１の上面よりも上方に位置する。すなわち、本実施の形態では、カバー部５ｂ自体が、被当接部として機能する。
【００４８】
従って、本実施の形態では、実施の形態１と同様に、五徳爪１１よりも上方への感熱ヘッド７ｂの飛び出し量を小さくできるから、軽量の調理容器４４が用いられる場合でも、感熱ヘッド７ｂの押し込み量を小さくできる。これにより、五徳１上での調理容器４４の姿勢が崩れ難く、調理容器４４の傾きやひっくり返りを防止することができる。また、鍋振り調理における鍋底温度センサ２の損傷を防止することができる。また、本実施の形態によれば、簡易な構造のカバー部５ｂを形成することができる。
【００４９】
（その他の実施の形態）
（１）上記実施の形態では、感熱部の周囲を覆うカバー部にキャップに当接する被当接部が形成されている。しかしながら、感熱部に被当接部を設けてもよい。また、感熱部を部分的に覆うカバー部に被当接部を設けてもよい。
（２）上記実施の形態では、キャップの下面に係合突起が設けられ、バーナヘッドの上面に切欠が設けられている。しかしながら、五徳をバーナヘッドに対して回り止め状態で設置させることができれば、係合部及び被係合部の形状は特に限定されない。例えば、キャップの下面に切欠を設け、バーナヘッドの上面に係合突起を設けてもよい。
（３）上記実施の形態１及び２では、カバー部の下端周縁の全周にわたって段部及び庇部が形成されていている。しかしながら、これらの段部及び庇部はそれぞれ、カバー部の一部に形成されてもよいし、カバー部の下端よりも上方に形成されてもよい。また、カバー部は、湾曲したドーム形状に形成されていてもよい
【符号の説明】
【００５０】
１      五徳
２      鍋底温度センサ
４      天板
５      カバー部
６      感熱部
７      感熱ヘッド
９      キャップ
１０    挿通孔
１１    五徳爪
１２    係合突起（係合部）
３０    バーナヘッド
３０ａ  貫通孔
３２    切欠（被係合部）
４０    バーナ用開口
４４    調理容器
４５    底部
５２    段部（被当接部）
【図１】
2020173034.tif 000003
【図２】
2020173034.tif 000004
【図３】
2020173034.tif 000005
【図４】
2020173034.tif 000006
【図５】
2020173034.tif 000007
【図６】
2020173034.tif 000008
【図７】
2020173034.tif 000009
【図８】
2020173034.tif 000010